(57)【要約】      （修正有）【課題】  誤挿入を防止して操作性と安全性の向上した二次電池パックを有する電池装置の提供。【解決手段】  二次電池パック１と該二次電池パックの着脱可能なカバー２とを有する電池装置であって、該カバーに二次電池パックの状態を表示する為の手段を有し、少なくとも二次電池パックの２つの状態を判別可能であり、その表示３が該二次電池パックの挿入方向を表示しており、更には該表示の要素が表裏になされているを特徴とする電池装置。【選択図】  図１
2006086073.tif 000002
【特許請求の範囲】
【請求項１】
二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの他の表示内容を兼ねていることを特徴とする電池装置。
【請求項２】
二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの挿入方向を表示する事を特徴とする電池装置。
【請求項３】
二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの挿入方向を表示し、該二次電池パックの装着方向の軸から編心した位置に表示されている事を特徴とする電池装置。
【請求項４】
二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの挿入方向を表示し、該二次電池パックの装着方向の軸から編心した位置に表示され、該二次電池パックの表示の為の要素が表裏に表示されている事を特徴とする電池装置。
【請求項５】
二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの他の表示内容を兼ねたものであって、該カバーには二次電池パックへの取付方向が複数あり、取付方向によって二次電池パックの状態を表示する為の手段を有し、該二次電池パックの一部に電池パック色とは別の色を有し、該カバーの一部に穴状の形状を有しカバーを取付方向によって各々色の有無で少なくとも二次電池パックの２つの状態を判別可能である事を特徴とする電池装置。
【請求項６】
二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの他の表示内容を兼ねたものであって、該カバーには二次電池パックへの取付方向が複数あり、取付方向によって二次電池パックの状態を表示する為の手段を有し、該二次電池パックの一部に電池パックの操作方法を示す表示を有し、該カバーの一部に穴状の形状を有しカバーを取付方向によって各々表示の見せ方によって少なくとも二次電池パックの２つの状態を判別可能である事を特徴とする電池装置。
【請求項７】
請求項１乃至６のいずれか１項に記載の電池装置において、その状態が充電済みか使用済みかであることを特徴とする電池装置。
【請求項８】
請求項１乃至６いずれか１項に記載の電池装置において、二次電池パックと該二次電池パックの着脱可能なカバーであって、該二次電池パックの操作方法が挿入方向を示すことを特徴とする電池装置。
【発明の詳細な説明】
【技術分野】
【０００１】
本発明は、二次電池パック状態識別と逆挿防止の表示方法に関するものである。
【背景技術】
【０００２】
従来の二次電池パックにおいて、該二次電池パックが特に複数本ある場合充電済みのものか使用後のものかを判別が出来ないといった不具合があり、その判別方法として二次電池パックに回路やＬＥＤ等の表示機能を追加し細かい表現を行うものが知られているが、回路が増えて複雑になることなど複雑な構造になるといったことや、また、回路等に拠らない方法として、電池底面に充電器の係合子と係合してスライドして表示を行う識別マーカーで、充電済みか使用済みかを指示する二次電池パックが提案されているが、二次電池パックの構造が複雑となり不具合があった。
【０００３】
また、二次電池パックを使用する機器の小型化に伴い二次電池パックの小型かも進み表示の為の機能を搭載する事が困難になっていること、小型化のために素電池に簡単な外装の組み合わせの構造を採用する事で従来の二次電池パックに比べ機器への装着方向を非対称形状が取り辛い等形状でキャンセルする事が困難になっている等の不具合があった（例えば、特許文献１）。
【特許文献１】特開平６−１０４０１７号公報
【発明の開示】
【発明が解決しようとする課題】
【０００４】
上記従来の二次電池パックにおいては、特に複数本の二次電池パックの状態を簡単に知る事が出来が出来なかった。
【０００５】
そこで、それらを解決するの状態を判別する方法として二次電池パックに回路やＬＥＤ等の表示機能を追加し細かい表現を行うが知られているが、複雑な構造になるといった不具合があった。
【０００６】
また、回路等に拠らない方法として、特許第３４１６９６２号に拠れば電池底面に充電器の係合子と係合してスライドして表示を行う識別マーカーを持ち、充電済みか使用済みかを指示する二次電池パックが提案されているが、二次電池パックの構造が複雑となり、製造工程が増えコストアップとなりユーザーの負担が増すことや、特に近年の二次電池パックは容量が大きくなっており、短絡時における事故の危険も増え、短絡保護の為のカバーを装着する必要があり、保護カバー装着時にも容易に認識できるものが望まれている。
【０００７】
また、二次電池パックの小型化が進み構造的に逆装着を防ぐ構造や形状が取り難くなり、より分かりやすい表示を行えることが望まれている。
【０００８】
本発明は、上記従来の問題に鑑み、特に複数本の二次電池パックの状態を簡単に知る為に二次電池パックに着脱可能なカバーを複数の取付方向や位置が選択できるような構造とし、該着脱可能なカバーに二次電池パックの状態を示す為の穴形状等を追加し、該カバーの取付方向や位置等で表現する事で従来の方法に比べ簡単な構造で状態の表現が可能とし、特に複数本の二次電池パックの充電済み／使用済みの状態を簡単に認識できる事。また、短絡保護カバーとして装着をユーザーに習慣づける事も可能で、安全性を高めること。二次電池パックへの少ない表示でより多くの情報を提供し二次電池パックの誤挿入防止等を視覚的にわかりやすくすること操作性と安全性の向上等を目的とする。
【課題を解決するための手段】
【０００９】
上記課題を解決するために、二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの他の表示内容を兼ねていることを特徴とする電池装置を提供する。
【００１０】
また、二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの挿入方向を表示する事を特徴とする電池装置を提供する。
【００１１】
また、二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの挿入方向を表示し、該二次電池パックの装着方向の軸から編心した位置に表示されている事を特徴とする電池装置を提供する。
【００１２】
また、二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの挿入方向を表示し、該二次電池パックの装着方向の軸から編心した位置に表示され、該二次電池パックの表示の為の要素が表裏に表示されている事を特徴とする電池装置を提供する。
【００１３】
また、二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの他の表示内容を兼ねたものであって、該カバーには二次電池パックへの取付方向が複数あり、取付方向によって二次電池パックの状態を表示する為の手段を有し、該二次電池パックの一部に電池パック色とは別の色を有し、該カバーの一部に穴状の形状を有しカバーを取付方向によって各々色の有無で少なくとも二次電池パックの２つの状態を判別可能である事を特徴とする電池装置を提供する。
【００１４】
また、二次電池パックと該二次電池パックの着脱可能なカバーとを有する電池装置であって、該カバーに二次電池パックの状態を表示する為の手段を有し、少なくとも二次電池パックの２つの状態を判別可能であり、その表示が該二次電池パックの他の表示内容を兼ねたものであって、該カバーには二次電池パックへの取付方向が複数あり、取付方向によって二次電池パックの状態を表示する為の手段を有し、該二次電池パックの一部に電池パックの操作方法を示す表示を有し、該カバーの一部に穴状の形状を有しカバーを取付方向によって各々表示の見せ方によって少なくとも二次電池パックの２つの状態を判別可能である事を特徴とする電池装置を提供する。
【発明の効果】
【００１５】
以上説明したように、本発明によれば、従来の二次電池パックにおいて、該二次電池パックが特に複数本ある場合充電済みのものか使用後のものかを判別が出来ないといったこと、それらを解決する為の方法として二次電池パックに回路やＬＥＤ等の表示機能を追加し細かい表現を行うものや、回路等に拠らない方法として、上記特許文献１による電池底面に充電器の係合子と係合してスライドして表示を行う識別マーカーで、充電済みか使用済みかを指示する二次電池パックが提案されているが、二次電池パックの構造が複雑となること、二次電池パックを使用する機器の小型化に伴い二次電池パックの小型かも進み表示の為の機能を搭載する事が困難になっていること、小型化のために素電池に簡単な外装の組み合わせの構造を採用する事で従来の二次電池パックに比べ機器への装着方向を非対称形状が取り辛い等形状でキャンセルする事が困難になっている等の不具合があった。
【００１６】
本発明は、上記従来の問題に鑑み、特に複数本の二次電池パックの状態を簡単に知る為に着脱可能なカバーに二次電池パックの状態を示す為の形状を有し、該着脱可能なカバーの取り付け方と色等で表現する事で従来の方法に比べ簡単な構造で状態の表現が可能とし、特に複数本の二次電池パックの充電済み／使用済みの状態を簡単に認識でき、二次電池パックの小型化に伴う操作性の煩雑さを解決するより分かりやすい表示が可能とすることができ、
従来の二次電池パックの状態表示方法や操作方法に比べより高性能を得る事が出来る。
【００１７】
また、着脱可能なカバーの取り付け方向や位置によって二次電池パックの状態を表現する事で、短絡の防止効果も高く使用者がより安全に二次電池を使用することが可能となり、二次電池パックへの少ない表示でより多くの情報を提供し二次電池パックの誤挿入防止等を視覚的にわかりやすくすること操作性と安全性の向上等も実現できる。
【００１８】
さらに、本発明については充電済み・使用済みの判別について記述してきたが電池の種類や購入時期などにおいても同様の効果が得られる。
【発明を実施するための最良の形態】
【００１９】
図１は本発明の二次電池パック１と二次電池パック１へ着脱可能なカバー２を示す図であり、カバー２は本実施の形態においてはポリプロピレン製であり、比較的柔らかな構造で二次電池パック１と軽圧入にて容易な装脱着を行うことが可能である。
【００２０】
カバー２の一部には二次電池パック１の状態を示す為の切欠き形状４を、二次電池パック１には、電池の状態を表示する為の表示３を有する。
【００２１】
図２（ａ）、図２（ｂ）は本実施の形態のカバーの図でカバー２１に切欠２２をカバー２１の内側にはリブ２３を有する。本実施例ではリブ２３を非対称位置に３箇所設けてある。
【００２２】
図３はカバー３１の断面を示す図であり、リブ３２の寸法Ｔ３５は二次電池パック３３の厚みＴ１  ３４より僅かに小さく設定し二次電池パックへ軽圧入し固定できる様なっている。
【００２３】
図４は本実施例の二次電池パックとカバーを装着した状態の図であり、二次電池パック４１にカバー２１は図示の通り二次電池パック２１に２通りの装着が可能となる。
【００２４】
二次電池パック４１の一部に表示要素△４３を表示する。二次電池パックの表示要素△４３の個所はカバー４２の切欠形状部に合った位置になっている。
【００２５】
このカバー４２の取り付け向きを変えることで二次電池パック４１とカバー４２の切欠部に表示要素△４３が見える方向と見えない方向に取り付け、要素△４３が見える、見えないで２つの状態を表示可能となる。
【００２６】
例えば充電完了時に要素△４３が見える様にして置けば後に使用する際に充電済み、見えない様であれば放電済みといった様にひと目で判るようにできユーザーが二次電池パックの状態を簡単に得ることが可能となる。
【００２７】
図５（ａ）は本発明の実施の形態の二次電池パック５１を充電器５２に取り付けた状態を示す図であり表示要素△５３を装着方向の中心からオフセットした位置とすることで充電器側の挿入方向表示の▽要素５４を同様に中心からずらす事で誤挿入を視覚的に防ぐ事が可能となる。
【００２８】
図５（ｂ）は表裏逆に装着した図であり、二次電池パック５１の表示要素△５５を表面の真裏に表示する事で誤挿入の際表示が合わずより操作が容易になる。
【００２９】
この様に本実施例ではカバーの装着方向によりカバーの切欠き形状から電池パックの表示要素が見える：充電済み／見えない：放電済みといった様にひと目で判るようにできユーザーが二次電池パックの状態を簡単に得ることが可能となる。
【００３０】
この様に二次電池パックと二次電池パックに着脱可能なカバーに状態を表示する為の形状を有し、二次電池パックに表示要素を施し、着脱可能なカバーの取り付け方で状態を判別する手段を備え、少なくとも２つ以上の状態を表示することでより使い勝手の向上を図ることが可能となる。
【００３１】
更にこの表示要素は電池パックの装着方向を示す役割も果たしており小型化の進んだ電池で限られた表示の中でも高機能を得ることが可能となる。
【００３２】
また、本実施の形態ではある充電済みか否かの情報を得ることを説明してきたが、切欠き形状を穴形状や他の形状とする事、二次電池パックの向きとカバーの切欠き形状の向きを合わせるか否か等で複数の二次電池パックの種類を判別する事など様々な状態の表示においても同様の効果を得る事が可能である。
【図面の簡単な説明】
【００３３】
【図１】本発明を示す基本構成図である。
【図２】（ａ）は本発明の短絡保護のカバーを示す図である。（ｂ）は本発明の短絡保護のカバーを示す図である。
【図３】本発明の二次電池パックと短絡保護のカバーの寸法関係を示す図である。
【図４】本発明の二次電池パックと表示と短絡保護のカバーを示す図である
【図５】（ａ）は本発明の二次電池パックを充電器へ装着した図である。（ｂ）は本発明の二次電池パックを充電器へ装着した図である。
【符号の説明】
【００３４】
１  二次電池パック
２  着脱可能なカバー
３  二次電池の表示
４  切欠き形状
２１  着脱可能なカバー
２２  切欠き形状
２３  リブ
３１  着脱可能なカバー
３２  リブ
３３  二次電池パック
３４  二次電池パックの厚み寸法Ｔ１
３５  カバーのリブ寸法Ｔ
４１  二次電池パック
４２  着脱可能なカバー
４３  二次電池パックの表示要素
５１  二次電池パック
５２  充電器
５３  二次電池パックの表示要素
５４  充電器の表示要素
５５  二次電池パックの表示要素
【図１】
2006086073.tif 000003
【図２】
2006086073.tif 000004
【図３】
2006086073.tif 000005
【図４】
2006086073.tif 000006
【図５】
2006086073.tif 000007